(57)【特許請求の範囲】
【請求項１】
回転軸に対して概略直角方向に伸長した長手方向平面と、該長手方向平面に対して概略直角方向に伸長した側面を有するアクチュエータアームに取り付けられるサスペンションアセンブリであって、
ヘッドを支持するように適合した長手方向主表面を有するサスペンションと；前記サスペンションの前記長手方向主表面に概略平行な支持表面を有し、前記サスペンションから伸長した伸長部と；
複数の信号線を収容するのに十分な幅の主表面を有し、前記アクチュエータアームの上面と下面の間で前記アクチュエータアームの前記側面に沿って取り付けられる、前記ヘッドと電気的に接続されるように適合したプリント配線シートとを具備し；
前記支持表面は、前記プリント配線シートを該プリント配線シートの前記主表面が前記サスペンションの前記長手方向主表面に概略平行に伸長するように、前記プリント配線シートを支持し；
前記プリント配線シートの前記主表面が前記アクチュエータアームの前記長手方向平面と概略平行となるように、前記プリント配線シートが前記アクチュエータアームの前記側面に沿って取り付けられることを特徴とするサスペンションアセンブリ。
【請求項２】
前記伸長部は前記サスペンションと一体的に形成されていることを特徴とする請求項１記載のサスペンションアセンブリ。
【請求項３】
前記サスペンションは一端が前記ヘッドに接続されるように適合し、他端が前記伸長部上で前記プリント配線シートに接続された導体パターンを有していることを特徴とする請求項１記載のサスペンションアセンブリ。
【発明の詳細な説明】
【０００１】
【産業上の利用分野】
本発明は一般的に磁気ディスク装置のヘッドアセンブリに関し、特に、磁気ヘッドに書き込み信号を供給しまたは磁気ヘッドで読み出した信号を磁気ディスク装置外部に取り出すための接続構造に関する。
【０００２】
近年、コンピュータ用外部記憶装置の一種である磁気ディスク装置の小型化、薄型化が進んでおり、更に低消費電力化が求められている。また、大容量化のため磁気ディスクの記録密度の向上が要求され、装置に搭載するディスクの枚数が増加している。
【０００３】
【従来の技術】
コンピュータ用磁気ディスク装置では、ヘッドとディスクとの関係はコンタクトスタート・ストップ（ＣＳＳ）方式が一般的に採用されている。この方式では、ディスク回転中においては、高速回転により発生する空気流体による浮上力とヘッドをディスクに押し付けるサスペンションの押し付け力とのバランスで、ヘッドがディスク上を微小な間隙を保って浮上する。
【０００４】
ディスクの回転が停止すると、ヘッドはディスク上の接触可能領域へ移動し、そこでヘッドとディスクが接触する。ディスクが回転停止中は、ヘッドとディスクは接触したままである。
【０００５】
従来ヘッドに書き込み信号を供給し、またはヘッドで読み出した信号を磁気ディスク装置外部に取り出したりするために、サスペンションに取り付けられたリード線が使用されていた。
【０００６】
しかし、磁気ディスク装置がダウンサイジング化するにつれて、サスペンションの構造もリード線を取り付けたタイプのものから、表面にヘッドに接続された導体パターンが一体的に形成された導体パターン付きサスペンションの採用へと移ってきている。
【０００７】
導体パターン付きサスペンションを採用した従来の磁気ディスク装置では、磁気ディスク装置外部に設けられたプリント配線板へ配線を引き出すためのメインフレキシブルプリント配線シート（以下メインＦＰＣという）が装置内部に設けられている。
【０００８】
そして、サスペンションの基端部に設けられた端子と、メインＦＰＣの端子とはリード線によって接続されている。メインＦＰＣの一端部は接着またはネジ止めによりアクチュエータアームに固定されているため、前記リード線はアクチュエータアームの側面に沿って配線されることになる。
【０００９】
最近の磁気ディスク装置のヘッドとして磁気抵抗効果ヘッド（ＭＲヘッド）が開発されているが、このＭＲヘッドはデータの書き込み時にはインダクティブ素子を使用し、データの読み出し時には磁気抵抗効果素子（ＭＲ素子）を使用する。
【００１０】
よって、信号線の数が従来の一般的なヘッドの２本から４本へと増加する。そのため、従来のようにサスペンションの端子とメインＦＰＣの端子とをリード線で接続すると、配線組立作業工数が倍に増加する。
【００１１】
また、端子数も増加するため、サスペンション及びメインＦＰＣの端子設置スペースが倍必要となる。しかし、最近の磁気ディスク装置は小型化・薄型化が図られているため、十分なスペースの端子部を確保することが困難となり、端子部は小さくなり且つ隣接する端子間隔を狭めざるを得ない。
【００１２】
以上の理由により、サスペンション及びメインＦＰＣの端子間の接続にリード線を使用することは望ましくなく、中継用のフレキシブルプリント配線シート（以下中継ＦＰＣという）によりサスペンション及びメインＦＰＣの端子間を接続する技術が提案されている。この従来技術では、中継ＦＰＣがアクチュエータアームの側面に貼付され、サスペンションの導体パターンとメインＦＰＣの導体パターンとを接続している。
【００１３】
【発明が解決しようとする課題】
上述したように、最近の磁気ディスク装置は小型化・薄型化が進んでいるため、アクチュエータアームも薄くなってきている。更に、ＭＲヘッドの採用により中継ＦＰＣに収容する信号線の本数も増加してきている。
【００１４】
よって、従来のようにアクチュエータアームの側面に中継ＦＰＣを貼付する方法では、アクチュエータアームの厚さが薄くなるにつれて中継ＦＰＣの幅が狭くなり、必要な本数の信号線の確保が困難になるとともに、信号線のパターン幅が細くなる等の問題が生じる。
【００１５】
故に本発明の目的は、ディスク装置の小型化・薄型化に対応した信頼性の高いヘッド信号の供給及び取り出しを可能にしたヘッドアセンブリ及びサスペンションアセンブリを提供することである。
【００１６】
【課題を解決するための手段】
本発明によると、回転軸に対して概略直角方向に伸長した長手方向平面と、該長手方向平面に対して概略直角方向に伸長した側面を有するアクチュエータアームに取り付けられるサスペンションアセンブリであって、ヘッドを支持するように適合した長手方向主表面を有するサスペンションと；前記サスペンションの前記長手方向主表面に概略平行な支持表面を有し、前記サスペンションから伸長した伸長部と；複数の信号線を収容するのに十分な幅の主表面を有し、前記アクチュエータアームの上面と下面の間で前記アクチュエータアームの前記側面に沿って取り付けられる、前記ヘッドと電気的に接続されるように適合したプリント配線シートとを具備し；前記支持表面は、前記プリント配線シートを該プリント配線シートの前記主表面が前記サスペンションの前記長手方向主表面に概略平行に伸長するように、前記プリント配線シートを支持し；前記プリント配線シートの前記主表面が前記アクチュエータアームの前記長手方向平面と概略平行となるように、前記プリント配線シートが前記アクチュエータアームの前記側面に沿って取り付けられることを特徴とするサスペンションアセンブリが提供される。
【００１７】
好ましくは、伸長部はサスペンションと一体的に形成されている。サスペンションは一端がヘッドに接続されるように適合し、他端が伸長部上でプリント配線シートに接続された導体パターンを有している。
【００１８】
【発明の実施の形態】
図１を参照すると、本発明の接続構造を具備した磁気ディスク装置の斜視図が示されている。符号１２はベース１４とカバー１６とから構成されるハウジング（ディスクエンクロージャ）である。
【００１９】
ベース１４上にはインナーハブモータによって回転駆動される図示しないスピンドルハブが設けられている。スピンドルハブには磁気ディスク２０と図示しないスペーサが交互に挿入され、ディスククランプ１８をスピンドルハブにネジ止めすることにより、複数枚の磁気ディスク２０が所定間隔離間してスピンドルハブに取り付けられる。
【００２０】
符号２２はアクチュエータアームアセンブリ２６と、磁気回路２８とから構成されるロータリー型ヘッドアクチュエータを示している。アクチュエータアームアセンブリ２６は、ベース１４に固定されたシャフト２４回りに回転可能に取り付けられており、回転中心から一方向に伸長した複数のアクチュエータアーム３０を有している。
【００２１】
アクチュエータアームアセンブリ２６は回転中心に対してアクチュエータアーム３０と反対側に取り付けられたコイル３８を有しており、磁気回路２８とコイル３８とでボイスコイルモータ４０を構成する。各アクチュエータアーム３０の先端には、先端部に磁気ヘッド３２を支持したサスペンション３４の基端部が固定されている。
【００２２】
符号４２は磁気ヘッド３２に書き込み信号を供給し、磁気ヘッド３２で読み出した信号を装置外部に取り出すためのメインＦＰＣを示しており、その一端はアクチュエータアーム３０に固定され、他端は信号を装置外部に取り出すコネクタに接続されている。
【００２３】
ベース１４上には環状パッキンアセンブリ４３が搭載されており、パッキンアセンブリ４３を間に挟んでカバー１６をベース１４にネジ締結することにより、ハウジング１２内が密閉される。
【００２４】
図２を参照すると、本発明第１実施形態の斜視図が示されている。メインＦＰＣ４２の端部はアクチュエータアーム３０の側面に接着されており、該端部にはメインＦＰＣ４２の導体パターンに接続された複数の端子４３が形成されている。
【００２５】
図３を参照すると、サスペンション３４上には一端がＭＲヘッド等の磁気ヘッド３２に接続された導体パターン３６が形成されており、導体パターン３６の他端は複数の端子３７に接続されている。
【００２６】
磁気ヘッド３２としてＭＲヘッドを採用した場合には、導体パターン３６は４本の信号線を含み、従って４個の端子３７に接続されている。一方、通常のインダクティブヘッドの場合には、導体パターン３６は２本の信号線を含んでいるため、図２に示したように各ヘッドあたり２個の端子３７が設けられている。
【００２７】
例えば、サスペンション３４はステンレス鋼から形成され、その上にポリイミドを塗布して銅の導体パターン３６を形成した後、再びポリイミドで導体パターン３６を被覆する。
【００２８】
再び図２を参照すると、サスペンション３４の端子３７とメインＦＰＣ４２の端子４３は、アクチュエータアーム３０の側面に沿ってその表面と概略平行に取り付けられた中継ＦＰＣ４４により接続されている。
【００２９】
中継ＦＰＣ４４は図４に示すように構成されている。中継ＦＰＣ４４は複数の導体パターン４６を有しており、各導体パターン４６の両端は端子４７，４８に接続されている。
【００３０】
中継ＦＰＣ４４は長手方向に伸長する破線５０で山折りにされ、実線５２の部分で長手方向にカットされ、アップヘッド用ＦＰＣ４４ａとダウンヘッド用ＦＰＣ４４ｂとに分離される。
【００３１】
中継ＦＰＣ４４は更に、破線５４，５５で谷折りされる。そして、端子４７がサスペンション３４の端子３７に半田付け接続され、端子４８がメインＦＰＣ４２の端子４３に半田付け接続される。
【００３２】
図５を参照すると、本発明第２実施形態の斜視図が示されている。図２に示した第１実施形態では、中継ＦＰＣ４４はアクチュエータアーム３０の側面に沿って取り付けられているだけなので、不安定である。
【００３３】
よってこの実施形態では、各アクチュエータアーム３０の側面に、その表面と概略平行に伸長する溝５７を有する突出部５６が一体的に形成されている。中継ＦＰＣ４４が溝５７中に挿入される。
【００３４】
中継ＦＰＣ４４が突出部５６の溝５７中に挿入されるため、中継ＦＰＣ４４が安定する。接着剤で中継ＦＰＣ４４を溝５７中で固定すると中継ＦＰＣが更に安定する。
【００３５】
図６を参照すると、本発明第３実施形態の斜視図が示されている。この実施形態では、第１及び第２実施形態のメインＦＰＣ４２と中継ＦＰＣ４４を一体にしたＦＰＣ５８を使用する。
【００３６】
即ち、ＦＰＣ５８の中間部分をアクチュエータアーム３０の側面に固定し、この固定部より先端側を切り起こして、アクチュエータアーム３０の表面と概略平行に伸長する先端部分５８ａ，５８ｂを形成する。
【００３７】
先端部分５８ａの端部に形成された端子は、サスペンション３４の端子３７に接続される。一方、先端部分５８ｂは図４に示した中継ＦＰＣ４４と同様に二つ折りにされ、最先端部分はアップヘッド用ＦＰＣ５８ｃとダウンヘッド用ＦＰＣ５８ｄに分離される。そして、アップヘッド用のＦＰＣ５８ｃの端子及びダウンヘッド用ＦＰＣ５８ｄの端子が、それぞれ対応するサスペンション３４の端子に接続される。
【００３８】
本実施形態も、ＦＰＣ５８の先端部分５８ａ，５８ｂが不安定であるため、図７に示す第４実施形態のように、各アクチュエータアーム３０の突出部５６中に形成された溝５７中に先端部分５８ａ，５８ｂを挿入するのが望ましい。ＦＰＣ５８の先端部分５８ａ，５８ｂがこれらの溝中で安定する。必要に応じて、先端部分５８ａ，５８ｂを溝中で接着固定するようにしてもよい。
【００３９】
図８は本発明第５実施形態の斜視図を示している。この実施形態では、樹脂等から形成されたガイドブロック６０を各アクチュエータアーム３０の側面に接着し、ＦＰＣ５８の先端部分５８ａ，５８ｂを各ガイドブロック６０で支持する。好ましくは、各先端部分５８ａ，５８ｂの端部をガイドブロック６０の上面に接着する。
【００４０】
これにより、ＦＰＣ５８の先端部分５８ａ，５８ｂは安定するが、更に安定させたい場合には図９の第６実施形態に示すように、各アクチュエータアーム３０と一体的に形成した突出部５６の溝中に先端部分５８ａ，５８ｂを挿入する。
【００４１】
【発明の効果】
本発明は以上詳述したように構成したので、ディスク装置の小型化・薄型化に対応した信頼性の高いヘッド信号の供給及び取り出しが可能になるという効果を奏する。
【図面の簡単な説明】
【図１】磁気ディスク装置の斜視図である。
【図２】第１実施形態斜視図である。
【図３】サスペンション平面図である。
【図４】中継ＦＰＣを示す図である。
【図５】第２実施形態斜視図である。
【図６】第３実施形態斜視図である。
【図７】第４実施形態斜視図である。
【図８】第５実施形態斜視図である。
【図９】第６実施形態斜視図である。
【符号の説明】
３０  アクチュエータアーム
３２  磁気ヘッド
３４  サスペンション
４２  メインＦＰＣ
４４  中継ＦＰＣ
５６  突出部
５８  一体型ＦＰＣ
５８ａ，５８ｂ  先端部分
【図１】
0003560920.tif 000002
【図２】
0003560920.tif 000003
【図３】
0003560920.tif 000004
【図４】
0003560920.tif 000005
【図５】
0003560920.tif 000006
【図６】
0003560920.tif 000007
【図７】
0003560920.tif 000008
【図８】
0003560920.tif 000009
【図９】
0003560920.tif 000010